(57)【要約】トラフィックチャネルが確立される前にモバイル・スイッチング・センタによって移動局のモバイル機器識別子が提供されない場合、基地局は、モバイル通信ネットワーク内で移動局に移動局のモバイル機器識別子を問い合わせるように構成されている。基地局は、呼の確立の期間に、モバイル・スイッチング・センタにモバイル機器識別子を送信してもよい。【選択図】図２
2009512308.tif 000002
【特許請求の範囲】
【請求項１】
移動局とトラフィックチャネルを確立するステップと、
モバイル機器識別子を要求する要求メッセージを前記移動局に送信するステップと、
前記要求メッセージに対して応答して、前記モバイル機器識別子を含む応答メッセージを前記移動局から受信するステップと、
前記モバイル機器識別子をモバイル・スイッチング・センタに転送するステップと、
から構成される、モバイル通信ネットワーク内で基地局によって実装される呼の確立方法。
【請求項２】
前記モバイル機器識別子が、前記モバイル・スイッチング・センタによって呼確立メッセージ内で前記基地局に提供されない場合に、前記要求メッセージは、前記移動局に送信される、請求項１に記載の方法。
【請求項３】
前記モバイル・スイッチング・センタが、モバイルに着信される呼の確立の期間にページング要求メッセージ内で前記モバイル機器識別子を提供することに失敗した場合、前記基地局は、前記移動局に前記要求メッセージを送信する、請求項２に記載の方法。
【請求項４】
前記モバイル・スイッチング・センタが、モバイルに着信される呼の確立の期間に、ページング要求メッセージまたは割当要求メッセージのうち少なくともいずれか一方の中で前記モバイル機器識別子を提供することに失敗した場合、前記基地局は、前記移動局に前記要求メッセージを送信する、請求項２に記載の方法。
【請求項５】
前記モバイル・スイッチング・センタが、モバイルから発信される呼の確立の期間に割当要求メッセージ内で前記モバイル機器識別子を提供することに失敗した場合、前記基地局は、前記移動局に前記要求メッセージを送信する、請求項２に記載の方法。
【請求項６】
前記基地局は、トラフィックチャネルが確立される前に前記要求メッセージを送信する、請求項１に記載の方法。
【請求項７】
前記基地局は、トラフィックチャネルが確立された後に前記要求メッセージを送信する、請求項１に記載の方法。
【請求項８】
前記モバイル機器識別子を前記モバイル・スイッチング・センタに転送するステップは、トラフィックチャネルが確立された後に、割当完了メッセージ内で前記モバイル機器識別子を前記モバイル・スイッチング・センタに送信するステップから構成される、請求項１に記載の方法。
【請求項９】
移動局と通信するための１以上の送受信機と、
前記送受信機を制御する基地局制御装置と、を備え、
前記基地局制御装置は、
前記移動局とのトラフィックチャネルを確立し、
モバイル機器識別子を要求する要求メッセージを前記移動局に送信し、
前記要求メッセージに応答して、前記モバイル機器識別子を含む応答メッセージを前記移動局から受信し、
前記モバイル機器識別子をモバイル・スイッチング・センタに転送する
ように構成される、モバイル通信ネットワークのための基地局。
【請求項１０】
前記基地局制御装置は、さらに、トラフィックチャネルが確立される前に、前記モバイル機器製造業者（ｍｏｂｉｌｅ  ｅｑｕｉｐｍｅｎｔ  ｍａｎｕｆａｃｔｕｒｅｒ）が前記モバイル・スイッチング・センタから受信されない場合、前記要求メッセージを送信するように構成される、請求項９に記載の基地局。
【請求項１１】
前記モバイル・スイッチング・センタが、モバイルに着信される呼の確立の期間にページング要求メッセージ内で前記モバイル機器識別子を提供することに失敗した場合、前記基地局制御装置は、前記移動局に前記要求メッセージを送信する、請求項１０に記載の基地局。
【請求項１２】
前記モバイル・スイッチング・センタが、モバイルに着信される呼の確立の期間に、ページング要求メッセージまたは割当要求メッセージのうち少なくともいずれか一方の中で前記モバイル機器識別子を提供することに失敗した場合、前記基地局は、前記移動局に前記要求メッセージを送信する、請求項１０に記載の基地局。
【請求項１３】
前記モバイル・スイッチング・センタが、モバイルから発信される呼の確立の期間に割当要求メッセージ内で前記モバイル機器識別子を提供することに失敗した場合、前記基地局制御装置は、前記移動局に前記要求メッセージを送信する、請求項１０に記載の基地局。
【請求項１４】
前記基地局制御装置は、トラフィックチャネルが確立された後に、割当完了メッセージ内で前記モバイル機器識別子を前記モバイル・スイッチング・センタに送信することによって、前記モバイル機器識別子を前記モバイル・スイッチング・センタに転送するように構成される、請求項９に記載の基地局。
【請求項１５】
前記基地局は、トラフィックチャネルが確立される前に前記要求メッセージを送信する、請求項９に記載の基地局。
【請求項１６】
前記基地局は、トラフィックチャネルが確立された後に前記要求メッセージを送信する、請求項９に記載の基地局。
【請求項１７】
移動局とトラフィックチャネルを確立するステップと、
モバイル機器識別子を要求するステータス要求メッセージを前記移動局に送信するステップと、
前記要求メッセージに対して応答して、前記モバイル機器識別子を含むステータス応答メッセージまたは延長された（ｅｘｔｅｎｄｅｄ）ステータス応答メッセージを前記移動局から受信するステップと、
割当完了メッセージ内で前記モバイル機器識別子をモバイル・スイッチング・センタに転送するステップと、
から構成される、ＣＤＭＡ２０００ネットワーク内で基地局によって実装される呼の確立方法。
【請求項１８】
前記モバイル機器識別子が、ページング要求メッセージ内でも割当要求メッセージ内でも、前記モバイル・スイッチング・センタによって前記基地局に提供されない場合に、前記ステータス要求メッセージは、前記移動局に送信される、請求項１７に記載の方法。
【発明の詳細な説明】
【背景技術】
【０００１】
１９８０年代の半ばに米国の連邦通信委員会（ＦＣＣ：Ｆｅｄｅｒａｌ  Ｃｏｍｍｕｎｉｃａｔｉｏｎｓ  Ｃｏｍｍｉｓｓｉｏｎ）によって制定された条例は、米国内にあるそれぞれの送受信機が一意な識別子を有することを要求している。現在、携帯電話は、電子シリアル番号（ＥＳＮ：Ｅｌｅｃｔｒｏｎｉｃ  ｓｅｒｉａｌ  ｎｕｍｂｅｒ）と称される３２ビットの番号によって識別されている。無線通信の急速な成長により、ＥＳＮの空間は、急速に枯渇しつつある。ある推定によれば、ＥＳＮの空間は、２００７年までに完全に使い果たされる。
【０００２】
ＥＳＮの枯渇の可能性を認識して、ＣＤＭＡ産業は、ＣＤＭＡ２０００標準のリリースＤ（ＩＳ−２０００−Ｄ）に導入されたモバイル機器識別子（ＭＥＩＤ：Ｍｏｂｉｌｅ  Ｅｑｕｉｐｍｅｎｔ  Ｉｄｅｎｔｉｆｉｅｒ）と称される新しい識別子を定義した。しかし、リリースＤを実装するシステムが、近い将来、配置される（ｄｅｐｌｏｙｅｄ）ことは期待されない。予期されるＥＳＮの枯渇に起因して、ＴＩＡ−２０００−Ｄシステムが配置される前のＭＥＩＤへの移行に大きな関心が寄せられている。
【０００３】
第３世代パートナーシップ・プロジェクト２（３ＧＰＰ２）は、２００５年に、ＭＥＩＤを備える移動局の導入に適応する新しいエアインターフェース標準を導入した。その標準は、３ＧＰＰ２  Ｃ．Ｓ００７２として公表され、ＴＩＡ−１０８２としても知られている。それらは、参照することにより本稿に組み込まれる。この標準は、配置されたＣＤＭＡ２００標準のリリース（リリース０、Ａ、Ｂ、Ｃ）が、ＭＥＩＤをサポートするリリースＤの限られた一連の特性を使用することを可能とする。ＭＥＩＤは、移動局を識別するために回線交換基幹ネットワークによって使用され、会計目的で（ｆｏｒ  ａｃｃｏｕｎｔｉｎｇ  ｐｕｒｐｏｓｅｓ）パケット交換基幹ネットワークによって使用されてもよい。移動局は、接続メッセージ内で使用するために、そのＭＥＩＤに基づいて疑似ＥＳＮ（ｐＥＳＮ：ｐｓｅｕｄｏ  ＥＳＮ）を生成する。ｐＥＳＮは、ＥＳＮと同じフォーマットを有する。
【０００４】
ネットワークがＴＩＡ−１０８２を実装しておりＭＥＩＤをサポートしている場合、ネットワークは、移動局のＭＥＩＤを決定するために移動局に問い合わせを行ってもよい。異なるＭＥＩＤが同じｐＥＳＮをもたらす可能性があるので、回線交換基幹ネットワークは、移動局を識別するためにｐＥＳＮと国際モバイルステーション識別子（ＩＭＳＩ：Ｉｎｔｅｒｎａｔｉｏｎａｌ  Ｍｏｂｉｌｅ  Ｓｔａｔｉｏｎ  Ｉｄｅｎｔｉｆｉｅｒ）とを使用してもよいし、または、移動局にその移動局のＩＭＳＩを問い合わせてもよい。パケット交換ネットワークは、会計目的で移動局を識別するためにｐＥＳＮおよびＩＭＳＩを使用してもよい。ＭＥＩＤは、回線交換基幹ネットワークによって蓄積されて基地局に送信されてもよい。
【０００５】
従来のネットワークでは、通常、ＥＳＮがパブリック・ロング・コード・マスク（ＰＬＣＭ：Ｐｕｂｌｉｃ  Ｌｏｎｇ  Ｃｏｄｅ  Ｍａｓｋ）を導き出すために使用されている。ＭＥＩＤをサポートするシステムでは、ＰＬＣＭは、ＭＥＩＤまたはｐＥＳＮから導き出されてもよい。ｐＥＳＮがＰＬＣＭを導き出すために使用される場合、複数の移動局が同じｐＥＳＮを有する可能性がある。重複したｐＥＳＮに起因する問題を回避するために、新しい標準は、基地局が移動局にＰＬＣＭを割り当てることも許可している。ＰＬＣＭは、改良されたチャネル割当メッセージ（ＥＣＡＭ：Ｅｎｈａｎｃｅｄ  Ｃｈａｎｎｅｌ  Ａｓｓｉｇｎｍｅｎｔ  Ｍｅｓｓａｇｅ）またはユニバーサルハンドオフ指示メッセージ（ＵＨＤＭ：Ｕｎｉｖｅｒｓａｌ  Ｈａｎｄｏｆｆ  Ｄｉｒｅｃｔｉｏｎ  Ｍｅｓｓａｇｅ）のいずれの中で、移動局に送信されてもよい。新しい標準は、ネットワークが移動局のＭＥＩＤを決定するために移動局に問い合わせを行うための手段を提供してもよい。
【０００６】
ＣＤＭＡ２０００ネットワーク内のモバイル・スイッチング・センタ（ＭＳＣ：Ｍｏｂｉｌｅ  Ｓｗｉｔｃｈｉｎｇ  Ｃｅｎｔｅｒ）および基地局の両方が、ＭＥＩＤを回収するために、移動局に対してステータス調査を開始する。それぞれのノード（例えば、基地局またはＭＳＣ）が、他のノードに依存してステータス調査を開始してその結果ＭＥＩＤが回収されない、または、それぞれのノードが、自主的にステータス調査を開始してその結果無線での不要なシグナリングが発生する、といった実装を避けて、ＭＳＣおよびＢＳが、この情報を共有することを可能とする方法が必要とされる。ＭＥＩＤは、（会計目的でパケットデータサービングノード（ＰＤＳＮ：Ｐａｃｋｅｔ  Ｄａｔａ  Ｓｅｒｖｉｎｇ  Ｎｏｄｅ）に転送する）基地局および（移動局の識別を目的とする）ＭＳＣの両方に対して有用であるので、１つのノードによって回収されたＭＥＩＤは、他のノードに通知される。
【発明の開示】
【発明が解決しようとする課題】
【０００７】
本発明は、サービス中の基地局およびＭＳＣによって移動局のＭＥＩＤの取得を調整する方法および装置を提供する。
【課題を解決するための手段】
【０００８】
ＭＳＣは、呼の確立の期間に呼確立メッセージ（ｃａｌｌ  ｓｅｔｕｐ  ｍｅｓｓａｇｅ）内で移動局のＭＥＩＤを基地局に提供してもよい。ＭＥＩＤが、ＭＳＣによって呼確立メッセージ内で提供されない場合、基地局は、移動局のＭＥＩＤを要求する要求メッセージを移動局に送信する。要求メッセージは、基地局によって、トラフィックチャネルを確立する前および後のどちらで送信されてもよい。基地局が応答メッセージ内で移動局からＭＥＩＤを受信すると、基地局は移動局のＭＥＩＤを呼確立メッセージ内でＭＳＣに送信する。ＣＤＭＡ２０００システムに対する実施形態の一例で、基地局は、割当要求メッセージ内でもページング要求メッセージ内でもＭＳＣからＭＥＩＤを受信していない場合、トラフックチャネルが確立された後で、割当完了メッセージ内でＭＥＩＤを送信する。
【発明を実施するための最良の形態】
【０００９】
図１は、複数の移動局１００にモバイル通信サービスを提供する無線通信ネットワーク１０の論理構成要素を示している。図１には、ＣＤＭＡ２０００エアインターフェースと相互運用標準（ｉｎｔｅｒｏｐｅｒａｂｉｌｉｔｙ  ｓｔａｎｄａｒｄ）とに従って構成されたネットワーク１０が示されている。より具体的には、例示された実施形態は、参照することにより本稿に組み込まれるＣＤＭＡ２０００アクセスネットワークインターフェース・パート４（Ａ１、Ａ１ｐ、Ａ２、およびＡ５インターフェース）（３ＧＰＰ２  Ａ．Ｓ００１４−Ｃ  ｖ２．０）に関する相互運用仕様（ＩＯＳ：Ｉｎｔｅｒｏｐｅｒａｂｉｌｉｔｙ  Ｓｐｅｃｉｆｉｃａｔｉｏｎ）を含んでいる。しかし、本発明の属する技術の分野における通常の知識を有する者であれば、本発明は、広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）および高速パケットデータ（ＨＲＰＤ：Ｈｉｇｈ  Ｒａｔｅ  Ｐａｃｋｅｔ  Ｄａｔａ）を含む他の通信標準を使用するシステム内で適応されて使用されてもよいことは理解できる。
【００１０】
ネットワーク１０は、回線交換基幹ネットワーク２０、パケット交換基幹ネットワーク３０、および１以上の無線アクセスネットワーク（ＲＡＮ：Ｒａｄｉｏ  Ａｃｃｅｓｓ  Ｎｅｔｗｏｒｋ）４０から構成されている。ＣＳＣＮ２０は、主として音声サービス、および、ファクシミリサービスのような低速データサービスを移動局１００に提供する。ＣＳＣＮ２０は、モバイル・スイッチング・センタ（ＭＳＣ：Ｍｏｂｉｌｅ  Ｓｗｉｔｃｈｉｎｇ  Ｃｅｎｔｅｒ）２２、および、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）１６を含む。
【００１１】
ＰＳＣＮ３０は、音声および高速パケットデータサービスを提供してもよい。ＰＳＣＮ３０は、パケットデータサービングノード（ＰＤＳＮ：Ｐａｃｋｅｔ  Ｄａｔａ  Ｓｅｒｖｉｎｇ  Ｎｏｄｅ）３２を含み、インターネット等の外部のパケットデータネットワーク（ＰＤＮ：Ｐａｃｋｅｔ  Ｄａｔａ  Ｎｅｔｗｏｒｋ）１８に接続されている。ＰＤＳＮ３２は、移動局１００への、または移動局１００からのＰＰＰ接続をサポートする。ＲＡＮ４０は、基幹ネットワーク２０および３０への接続を提供する。ＲＡＮの主な機能は、移動局１００との通信に関する無線チャネルの確立、維持、および終了と、無線資源管理と、可動性管理（ｍｏｂｉｌｉｔｙ  ｍａｎａｇｅｍｅｎｔ）とを含む。
【００１２】
それぞれのＲＡＮ２０は、１以上の無線基地局（ＲＢＳ：Ｒａｄｉｏ  Ｂａｓｅ  Ｓｔａｔｉｏｎ）４２と１以上の基地局制御装置（ＢＳＣ：Ｂａｓｅ  Ｓｔａｔｉｏｎ  Ｃｏｎｔｒｏｌｌｅｒ）４４とから構成されている。ＲＡＮ２０がパケットデータサービスをサポートする場合、ＲＡＮはさらに１以上のパケット基幹部（ＰＣＦ：Ｐａｃｋｅｔ  Ｃｏｒｅ  Ｆｕｎｃｔｉｏｎ）４６を含む。ＰＣＦ４６は、図１ではＢＳＣ４４とは別に示されているが、ＢＳＣ４４と一体化されてもよい。それぞれのＲＢＳ４２は、移動局１００とエアインターフェース上で通信するために、複数の送信機および受信機を備える。それぞれのＲＢＳ２４は、セル（ｃｅｌｌ）と称される地理的領域に位置して、その領域にサービスを提供する。概して、１つセルには１つのＲＢＳ２４が存在するが、セルは複数のＲＢＳ２４を含んでもよい。セルは、複数のセクタに分割されたセクタライズされた（ｓｅｃｔｏｒｉｚｅｄ）セルであってもよい。あるセル内の１つのＲＢＳ２４は、そのセル内の全てのセクタにサービスを提供してもよい。
【００１３】
ＢＳＣ４４は、１以上のＲＢＳ４２に関して無線資源を管理する。ＣＤＭＡ２０００ネットワークで、ＲＢＳ４２およびＢＳＣ４４は、基地局４８を構成する。ＲＢＳ４２は、無線装置を含み、通常、セルに関連付けられる基地局４８の一部分である。ＢＳＣ４４は基地局４８の制御部である。ＣＤＭＡ２０００ネットワークでは、１つのＢＳＣ４４は、複数の基地局４８の制御部を構成してもよい。ＰＣＦ４６は、ＲＡＮ２０をＰＤＳＮ３２に接続しており、ＰＤＳＮ３２とＢＳＣ４４との間のトラフィックをルーティングする。
【００１４】
移動局１００は、ＣＤＭＡ２０００標準のリリースＤで定義されるモバイル機器識別子（ＭＥＩＤ：Ｍｏｂｉｌｅ  Ｅｑｕｉｐｍｅｎｔ  Ｉｄｅｎｔｉｆｉｅｒ）を備えていてもよい。ＭＥＩＤは、移動局１００を一意に識別し、従来の移動局１００で使用されていた電子シリアル番号（ＥＳＮ：Ｅｌｅｃｔｒｏｎｉｃ  ｓｅｒｉａｌ  ｎｕｍｂｅｒ）に代わる識別子である。本発明は、呼の確立の期間に移動局１００のＭＥＩＤを取得してＭＥＩＤをＭＳＣ２２と共有するために、基地局４８によって実装される方法を提供する。ＭＥＩＤが、モバイル・スイッチング・センタ２２によってページング要求メッセージ内でも割当要求メッセージ内でも提供されない場合、基地局４８は、移動局１００のＭＥＩＤを獲得するために呼の確立の期間に移動局１００に問い合わせを行うように構成されている。移動局１００からＭＥＩＤを取得した後に、基地局４８は、割当完了メッセージ内でＭＥＩＤをＭＳＣ２２に送信する。
【００１５】
図２は、実施形態の一例に従う移動局１００によって発信された音声呼（voice call）を確立するための、モバイルから発信される呼の確立手順を示している。移動局１００は、呼を開始するために基地局４８に開始メッセージを送信する（ステップａ）。基地局４８は開始メッセージに含まれている情報を、ＣＭサービス要求メッセージ内でＭＳＣ２２に転送する（ステップｂ）。移動局１００に対する認証を行った後、ＭＳＣ２２は、その呼を公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）１６にルーティングし、移動局１００への無線資源の割当を要求するために、割当要求メッセージを基地局４８に送信する（ステップｃ）。割当要求メッセージは、ＣＤＭＡ２０００相互運用標準（３ＧＰＰ２  Ａ．Ｓ００１４−Ｃ  ｖ２．０）の３．１．７に仕様が定められている。
【００１６】
ＭＳＣ２２にとって移動局１００のＭＥＩＤの値が既に利用可能である場合、例えば、ＭＳＣ２２が先行の接続の試行の期間に受信したＭＥＩＤを格納している場合、割当要求メッセージは、移動局１００のＭＥＩＤを含んでもよい。ＭＳＣ２２から割当要求メッセージを受信した後、基地局４８は、移動局１００と、フォワードおよびリバースリンクのトラフィックチャネルを確立し（ステップｄ）、移動局１００とサービスパラメータのネゴシエーションを行う（ステップｅ）。サービスネゴシエーションが完了した後、基地局４８は、移動局１００のＭＥＩＤを要求するために、移動局１００にステータス要求メッセージを送信してもよい（ステップｆ）。移動局１００は、基地局４８に、ＭＥＩＤを含むステータス応答メッセージを送信してもよい（ステップｇ）。ＭＳＣ２２から基地局４８への割当要求メッセージが移動局１００のＭＥＩＤを含む場合、ステップｆおよびステップｇは実行されない。
【００１７】
ステップｇでステータス応答メッセージを受信した後、または、ステップｅでのサービスネゴシエーションが完了した後に、ＭＳＣ２２は、割当完了メッセージをＭＳＣ２２に送信する（ステップｈ）。割当完了メッセージは、ＣＤＭＡ２０００相互運用標準（３ＧＰＰ２  Ａ．Ｓ００１４−Ｃ  ｖ２．０）の３．１．８に仕様が定められている。割当要求メッセージがＭＥＩＤを含まない場合、基地局４８は、割当完了メッセージ内にＭＥＩＤを含める。ＭＳＣ２２は、被呼者（ｃａｌｌｅｄ  ｐａｒｔｙ）の注意を喚起し（ａｌｅｒｔ）（ステップｉ）、移動局１００に帯域内で送信されるコール・プログレス・トーンを生成する（ステップｊ）。被呼者が応答すると（ステップｋ）、ＭＳＣ２２はトーンの送信を停止し、呼を接続する（ステップｌ）。これで、２者が接続され、２方向の会話に参加することが可能となる。
【００１８】
図３は、実施形態の一例に従う移動局１００に着信される音声呼を確立するための、モバイルに着信される呼の確立手順を示している。ＭＳＣ２２は、到着する呼を受信し（ステップａ）、移動局１００にページング要求メッセージを送信する（ステップｂ）。ページング要求メッセージは、ＣＤＭＡ２０００相互運用標準（３ＧＰＰ２  Ａ．Ｓ００１４−Ｃ  ｖ２．０）の３．１．４に仕様が定められている。
【００１９】
ＭＳＣ２２にとって移動局１００のＭＥＩＤの値が既に利用可能である場合、ページング要求メッセージは、移動局１００のＭＥＩＤを含んでもよい。基地局４８は、移動局１００の注意を喚起するためにページメッセージを移動局１００に送信する（ステップｃ）。移動局１００は、呼を受け取るためにページ応答メッセージを基地局４８に送信する（ステップｄ）。基地局４８は、次に、ページング応答メッセージをＭＳＣ２２に送信する（ステップｅ）。ページング応答メッセージは、ＣＤＭＡ２０００相互運用標準（３ＧＰＰ２  Ａ．Ｓ００１４−Ｃ  ｖ２．０）の３．１．５に仕様が定められている。
【００２０】
ページング応答メッセージを受信した後、ＭＳＣ２２は、移動局１００への無線資源の割当を要求するために割当要求メッセージを基地局４８に送信する（ステップｆ）。ＭＳＣ２２から割当要求メッセージを受信した後、基地局４８は、移動局１００と、フォワードおよびリバースリンクのトラフィックチャネルを確立し（ステップｇ）、移動局とサービスパラメータのネゴシエーションを行う（ステップｈ）。ＭＳＣ２２から受信されたページング要求メッセージが移動局のＭＥＩＤを含まない場合、基地局４８は、サービスネゴシエーションが完了した後で、移動局１００のＭＥＩＤを要求するために、移動局１００にステータス要求メッセージを送信する（ステップｉ）。移動局１００は、基地局４８にＭＥＩＤを含むステータス応答メッセージを送信する（ステップｊ）。ＭＳＣ２２から基地局４８へのページング要求メッセージが移動局１００のＭＥＩＤを含む場合、ステップｉおよびステップｊは実行されない。
【００２１】
ステップｊでステータス応答メッセージを受信した後、または、ステップｈでのサービスネゴシエーションが完了した後に、基地局４８は、割当完了メッセージをＭＳＣ２２に送信する（ステップｋ）。移動局１００のＭＥＩＤがＭＳＣ２２によってページング要求メッセージ内で提供されない場合、割当完了メッセージは、移動局１００のＭＥＩＤを含む。割当完了メッセージを送信した後、基地局４８は、到着する呼に対して使用者の注意を喚起するために、移動局１００への情報を伴う注意喚起メッセージ（ＡＷＩＭ：Ａｌｅｒｔ  Ｗｉｔｈ  Ｉｎｆｏｒｍａｔｉｏｎ  Ｍｅｓｓａｇｅ）を送信する（ステップｌ）。使用者が応答すると、移動局１００は、基地局４８に接続命令を送信する（ステップｍ）。基地局４８は、呼を完了するために、基地局４８に接続メッセージを送信する（ステップｎ）。これで、２者が接続され、２方向の会話に参加することが可能となる（ステップｏ）。
【００２２】
図２および図３は、ＣＤＭＡ２０００ネットワーク内で音声呼を確立する手順で実行される本発明の一実施形態を例示している。前述された技術は、ＣＤＭＡ２０００ネットワーク内でパケットデータ呼を確立するための確立手順に適用されてもよい。パケットデータ呼に関して、ステータス要求およびステータス応答メッセージの交換は、他の信号手順と並行して行われてもよい。前述されたように、呼の確立に要求される時間が延びることはない。前述された技術は、他の種類のネットワークに実装されてもよい。
【００２３】
図４〜図６は、ページング要求メッセージ、割当要求メッセージ、および割当完了メッセージに関するフォーマットをそれぞれ例示している。図中のセクションに関しては、３ＧＰＰ２  Ａ．Ｓ００１４−Ｃ  ｖ２．０（ＴＩＡ−２００１−Ｄ）が参照される。これらそれぞれのメッセージには、ＭＥＩＤが送信される場合に随意に選択されるＭＥＩＤを運ぶための情報構成要素（ｉｎｆｏｒｍａｔｉｏｎ  ｅｌｅｍｅｎｔ）が含まれている。この情報構成要素は、ＭＥＩＤが送信されない場合は省略される。
【００２４】
本発明は、当然、本発明の技術的視野および本質的な特徴から離れない限り、本稿で説明されたのとは別の方法で実行されてもよい。したがって、本実施形態は、説明のためであって、限定のためではないと考えられるべきである。さらに、本特許出願の特許請求の範囲に記載された趣旨およびそれと同等の範囲内での全ての変更は、本特許出願の範囲内に含まれることが意図される。
【図面の簡単な説明】
【００２５】
【図１】無線通信ネットワークの一例の主な構成要素を示した機能ブロック図である。
【図２】モバイルから発信される呼の確率手順の一例を示した呼のフロー図である。
【図３】モバイルに着信される呼の確率手順の一例を示した呼のフロー図である。
【図４】ページング要求メッセージに使用される概略的なフォーマットを示した図表である。
【図５】割当要求メッセージに使用される概略的なフォーマットを示した図表である。
【図６】割当完了メッセージに使用される概略的なフォーマットを示した図表である。
【図１】
2009512308.tif 000003
【図２】
2009512308.tif 000004
【図３】
2009512308.tif 000005
【図４】
2009512308.tif 000006
【図５】
2009512308.tif 000007
【図６】
2009512308.tif 000008
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
移動局とトラフィックチャネルを確立するステップと、
モバイル機器識別子を要求する要求メッセージを前記移動局に送信するステップと、
前記要求メッセージに対して応答して、前記モバイル機器識別子を含む応答メッセージを前記移動局から受信するステップと、
前記モバイル機器識別子をモバイル・スイッチング・センタに転送するステップと、
から構成される、モバイル通信ネットワーク内で基地局によって実装される呼の確立方法。
【請求項２】
前記モバイル機器識別子が、前記モバイル・スイッチング・センタによって呼確立メッセージ内で前記基地局に提供されない場合に、前記要求メッセージは、前記移動局に送信される、請求項１に記載の方法。
【請求項３】
前記モバイル・スイッチング・センタが、モバイルに着信される呼の確立の期間にページング要求メッセージ内で前記モバイル機器識別子を提供することに失敗した場合、前記基地局は、前記移動局に前記要求メッセージを送信する、請求項２に記載の方法。
【請求項４】
前記モバイル・スイッチング・センタが、モバイルに着信される呼の確立の期間に、ページング要求メッセージまたは割当要求メッセージのうち少なくともいずれか一方の中で前記モバイル機器識別子を提供することに失敗した場合、前記基地局は、前記移動局に前記要求メッセージを送信する、請求項２に記載の方法。
【請求項５】
前記モバイル・スイッチング・センタが、モバイルから発信される呼の確立の期間に割当要求メッセージ内で前記モバイル機器識別子を提供することに失敗した場合、前記基地局は、前記移動局に前記要求メッセージを送信する、請求項２に記載の方法。
【請求項６】
前記基地局は、トラフィックチャネルが確立される前に前記要求メッセージを送信する、請求項１に記載の方法。
【請求項７】
前記基地局は、トラフィックチャネルが確立された後に前記要求メッセージを送信する、請求項１に記載の方法。
【請求項８】
前記モバイル機器識別子を前記モバイル・スイッチング・センタに転送するステップは、トラフィックチャネルが確立された後に、割当完了メッセージ内で前記モバイル機器識別子を前記モバイル・スイッチング・センタに送信するステップから構成される、請求項１に記載の方法。
【請求項９】
移動局と通信するための１以上の送受信機と、
前記送受信機を制御する基地局制御装置と、を備え、
前記基地局制御装置は、
前記移動局とのトラフィックチャネルを確立し、
モバイル機器識別子を要求する要求メッセージを前記移動局に送信し、
前記要求メッセージに応答して、前記モバイル機器識別子を含む応答メッセージを前記移動局から受信し、
前記モバイル機器識別子をモバイル・スイッチング・センタに転送する
ように構成される、モバイル通信ネットワークのための基地局。
【請求項１０】
前記基地局制御装置は、さらに、トラフィックチャネルが確立される前に、前記モバイル機器識別子が前記モバイル・スイッチング・センタから受信されない場合、前記要求メッセージを送信するように構成される、請求項９に記載の基地局。
【請求項１１】
前記モバイル・スイッチング・センタが、モバイルに着信される呼の確立の期間にページング要求メッセージ内で前記モバイル機器識別子を提供することに失敗した場合、前記基地局制御装置は、前記移動局に前記要求メッセージを送信する、請求項１０に記載の基地局。
【請求項１２】
前記モバイル・スイッチング・センタが、モバイルに着信される呼の確立の期間に、ページング要求メッセージまたは割当要求メッセージのうち少なくともいずれか一方の中で前記モバイル機器識別子を提供することに失敗した場合、前記基地局制御装置は、前記移動局に前記要求メッセージを送信する、請求項１０に記載の基地局。
【請求項１３】
前記モバイル・スイッチング・センタが、モバイルから発信される呼の確立の期間に割当要求メッセージ内で前記モバイル機器識別子を提供することに失敗した場合、前記基地局制御装置は、前記移動局に前記要求メッセージを送信する、請求項１０に記載の基地局。
【請求項１４】
前記基地局制御装置は、トラフィックチャネルが確立された後に、割当完了メッセージ内で前記モバイル機器識別子を前記モバイル・スイッチング・センタに送信することによって、前記モバイル機器識別子を前記モバイル・スイッチング・センタに転送するように構成される、請求項９に記載の基地局。
【請求項１５】
前記基地局は、トラフィックチャネルが確立される前に前記要求メッセージを送信する、請求項９に記載の基地局。
【請求項１６】
前記基地局は、トラフィックチャネルが確立された後に前記要求メッセージを送信する、請求項９に記載の基地局。
【請求項１７】
移動局とトラフィックチャネルを確立するステップと、
モバイル機器識別子を要求するステータス要求メッセージを前記移動局に送信するステップと、
前記要求メッセージに対して応答して、前記モバイル機器識別子を含むステータス応答メッセージまたは延長された（ｅｘｔｅｎｄｅｄ）ステータス応答メッセージを前記移動局から受信するステップと、
割当完了メッセージ内で前記モバイル機器識別子をモバイル・スイッチング・センタに転送するステップと、
から構成される、ＣＤＭＡ２０００ネットワーク内で基地局によって実装される呼の確立方法。
【請求項１８】
前記モバイル機器識別子が、ページング要求メッセージ内でも割当要求メッセージ内でも、前記モバイル・スイッチング・センタによって前記基地局に提供されない場合に、前記ステータス要求メッセージは、前記移動局に送信される、請求項１７に記載の方法。
【手続補正２】
【補正対象書類名】明細書
【補正対象項目名】００１２
【補正方法】変更
【補正の内容】
【００１２】
それぞれのＲＡＮ４０は、１以上の無線基地局（ＲＢＳ：Ｒａｄｉｏ  Ｂａｓｅ  Ｓｔａｔｉｏｎ）４２と１以上の基地局制御装置（ＢＳＣ：Ｂａｓｅ  Ｓｔａｔｉｏｎ  Ｃｏｎｔｒｏｌｌｅｒ）４４とから構成されている。ＲＡＮ４０がパケットデータサービスをサポートする場合、ＲＡＮはさらに１以上のパケット基幹部（ＰＣＦ：Ｐａｃｋｅｔ  Ｃｏｒｅ  Ｆｕｎｃｔｉｏｎ）４６を含む。ＰＣＦ４６は、図１ではＢＳＣ４４とは別に示されているが、ＢＳＣ４４と一体化されてもよい。それぞれのＲＢＳ４２は、移動局１００とエアインターフェース上で通信するために、複数の送信機および受信機を備える。それぞれのＲＢＳ４２は、セル（ｃｅｌｌ）と称される地理的領域に位置して、その領域にサービスを提供する。概して、１つセルには１つのＲＢＳ４２が存在するが、セルは複数のＲＢＳ４２を含んでもよい。セルは、複数のセクタに分割されたセクタライズされた（ｓｅｃｔｏｒｉｚｅｄ）セルであってもよい。あるセル内の１つのＲＢＳ４２は、そのセル内の全てのセクタにサービスを提供してもよい。
【手続補正３】
【補正対象書類名】明細書
【補正対象項目名】００１３
【補正方法】変更
【補正の内容】
【００１３】
ＢＳＣ４４は、１以上のＲＢＳ４２に関して無線資源を管理する。ＣＤＭＡ２０００ネットワークで、ＲＢＳ４２およびＢＳＣ４４は、基地局４８を構成する。ＲＢＳ４２は、無線装置を含み、通常、セルに関連付けられる基地局４８の一部分である。ＢＳＣ４４は基地局４８の制御部である。ＣＤＭＡ２０００ネットワークでは、１つのＢＳＣ４４は、複数の基地局４８の制御部を構成してもよい。ＰＣＦ４６は、ＲＡＮ４０をＰＤＳＮ３２に接続しており、ＰＤＳＮ３２とＢＳＣ４４との間のトラフィックをルーティングする。
【手続補正４】
【補正対象書類名】明細書
【補正対象項目名】００１７
【補正方法】変更
【補正の内容】
【００１７】
ステップｇでステータス応答メッセージを受信した後、または、ステップｅでのサービスネゴシエーションが完了した後に、基地局４８は、割当完了メッセージをＭＳＣ２２に送信する（ステップｈ）。割当完了メッセージは、ＣＤＭＡ２０００相互運用標準（３ＧＰＰ２  Ａ．Ｓ００１４−Ｃ  ｖ２．０）の３．１．８に仕様が定められている。割当要求メッセージがＭＥＩＤを含まない場合、基地局４８は、割当完了メッセージ内にＭＥＩＤを含める。ＭＳＣ２２は、被呼者（ｃａｌｌｅｄ  ｐａｒｔｙ）の注意を喚起し（ａｌｅｒｔ）（ステップｉ）、移動局１００に帯域内で送信されるコール・プログレス・トーンを生成する（ステップｊ）。被呼者が応答すると（ステップｋ）、ＭＳＣ２２はトーンの送信を停止し、呼を接続する（ステップｌ）。これで、２者が接続され、２方向の会話に参加することが可能となる。
【手続補正５】
【補正対象書類名】明細書
【補正対象項目名】００１８
【補正方法】変更
【補正の内容】
【００１８】
図３は、実施形態の一例に従う移動局１００に着信される音声呼を確立するための、モバイルに着信される呼の確立手順を示している。ＭＳＣ２２は、到着する呼を受信し（ステップａ）、基地局４８にページング要求メッセージを送信する（ステップｂ）。ページング要求メッセージは、ＣＤＭＡ２０００相互運用標準（３ＧＰＰ２  Ａ．Ｓ００１４−Ｃ  ｖ２．０）の３．１．４に仕様が定められている。
【手続補正６】
【補正対象書類名】明細書
【補正対象項目名】００２１
【補正方法】変更
【補正の内容】
【００２１】
ステップｊでステータス応答メッセージを受信した後、または、ステップｈでのサービスネゴシエーションが完了した後に、基地局４８は、割当完了メッセージをＭＳＣ２２に送信する（ステップｋ）。移動局１００のＭＥＩＤがＭＳＣ２２によってページング要求メッセージ内で提供されない場合、割当完了メッセージは、移動局１００のＭＥＩＤを含む。割当完了メッセージを送信した後、基地局４８は、到着する呼に対して使用者の注意を喚起するために、移動局１００への情報を伴う注意喚起メッセージ（ＡＷＩＭ：Ａｌｅｒｔ  Ｗｉｔｈ  Ｉｎｆｏｒｍａｔｉｏｎ  Ｍｅｓｓａｇｅ）を送信する（ステップｌ）。使用者が応答すると、移動局１００は、基地局４８に接続命令を送信する（ステップｍ）。基地局４８は、呼を完了するために、ＭＳＣ３２に接続メッセージを送信する（ステップｎ）。これで、２者が接続され、２方向の会話に参加することが可能となる（ステップｏ）。
【手続補正７】
【補正対象書類名】図面
【補正対象項目名】図１
【補正方法】変更
【補正の内容】
【図１】
2009512308.tif 000009
【手続補正８】
【補正対象書類名】図面
【補正対象項目名】図２
【補正方法】変更
【補正の内容】
【図２】
2009512308.tif 000010
【手続補正９】
【補正対象書類名】図面
【補正対象項目名】図３
【補正方法】変更
【補正の内容】
【図３】
2009512308.tif 000011
【国際調査報告】
2009512308.tif 000012
2009512308.tif 000013